(57)【要約】【課題】広角、狭角の音場を形成することが出来るスピーカー装置を提供する。【解決手段】再生信号発生手段により発生する可聴音信号を、切り替え手段を介して出力する可聴音用スピーカーと、超音波発信手段により生成する超音波の搬送波信号と、切り替え手段を介して出力された可聴音信号とを、搬送波変調手段により変調して変調搬送波信号を生成し、その変調搬送波信号を出力する超音波スピーカーとを備え、前述した切り替え手段からの出力先を、可聴音用スピーカーと、搬送波変調手段とに切り替えることにより、出力される音声の指向性の角度を変更できるように構成した。 【選択図】  図１
2007067514.tif 000002
【特許請求の範囲】
【請求項１】
再生信号発生手段により発生する可聴音信号を、切り替え手段を介して出力する可聴音用スピーカーと、
超音波発信手段により生成する超音波の搬送波信号と、前記切り替え手段を介して出力された前記可聴音信号とを搬送波変調手段により変調して変調搬送波信号を生成し、その変調搬送波信号を出力する超音波スピーカーと、を備え、
前記切り替え手段からの出力先を、前記可聴音用スピーカーと、前記搬送波変調手段とに切り替えることにより、出力される音声の指向性の角度を変更できるようにした、
ことを特徴とするスピーカー装置。
【請求項２】
前記可聴音スピーカーと前記超音波スピーカーは、振動板と、その振動板に配設されて、共振点が可超音帯域と超音波帯域の両方にあるように構成された圧電素子を有する１つのスピーカーにより構成されており、
前記超音波発信手段は、周波数選択手段により前記超音波帯域に存在する共振点が選択されて、その共振点における前記搬送波信号を生成する、
ことを特徴とする請求項１に記載のスピーカー装置。
【発明の詳細な説明】
【技術分野】
【０００１】
本発明は、出力される音声の指向性の角度を変更できるスピーカー装置に関し、特に再生信号発生手段により生成する可聴音信号を、切り替え手段で出力先を切り替えて、出力される音声の指向性の角度を変更できるスピーカー装置に関する。
【背景技術】
【０００２】
超音波スピーカーを用いて、パラメトリック効果が達成できるスピーカー装置が提案されている（例えば特許文献１参照。）。
【０００３】
このスピーカー装置の概略構成を図９を用いて説明する。
図９は、従来のスピーカー装置の構成を説明するための概略図である。
【０００４】
この従来のスピーカー装置は、キャリア波発信源４２で発生させた搬送波である超音波信号と、オーディオ処理部４５で作成した可聴音信号を変調器４３で変調し、この変調信号を超音波スピーカー４４から出力させ、超音波の非線形現象により可聴音の２次音波を発生させることで、パラメトリック効果を得ることが出来るようになっている。
【０００５】
また、このスピーカー装置は、人感センサ４７により、スピーカーと音声を聞く人間との距離をセンサ制御部４６で測定し、その距離に応じて周波数記憶部４１にて搬送波の発信周波数を選択し、キャリア波発信源４２にて発信する搬送波の周波数を可変にする機能を備えている。
【０００６】
超音波域の音波は、一般に周波数が高くなると空気中を伝播する際の減衰量が大きくなり、到達距離は短くなっていく特性があるため、このスピーカー装置により、キャリア波発信源４２にて生成する搬送波の周波数を変えて、音声の到達距離を変えられるようになる。
【０００７】
したがって、この従来のスピーカー装置は、キャリア波発信源４２で発生させる搬送波の周波数を高く設定すると超音波スピーカー４４から出力された音波の到達距離が短くなり、周波数を低くすると到達距離を長くすることができ、音の聞こえる距離を制御することができるものとなる。
【０００８】
【特許文献１】特開２００５−３３３７２号公報（第３−５頁、図１）
【発明の開示】
【発明が解決しようとする課題】
【０００９】
しかしながら、従来のスピーカー装置は、前述した様に音声の到達距離を制御可能な構成となっているが、この装置構成のままでは音声の指向性の角度を制御する事はできない。つまり、この従来のスピーカー装置を搭載した電子機器を使用する際には、複数の人間に音声を聞かせたい場合に指向性の角度を変えることができないという不都合を生ずる。
【００１０】
したがって、この従来のスピーカー装置を搭載した電子機器のままでは、使用者は、予め決められた音場領域でしか使うことができないものでしかなく、１つの電子機器で、指向性の角度を変えたいという用途には対応できないものであった。
【００１１】
そこで、本発明は上記課題を解決し、スピーカー装置の指向性の可聴音場の角度を制御した可聴音場を形成することが出来るようにしたスピーカー装置を提供することを目的と
する。
【課題を解決するための手段】
【００１２】
上記目的を達成するために、本発明のスピーカー装置は、基本的に下記記載の構成を採用する。
【００１３】
本発明のスピーカー装置は、再生信号発生手段により発生する可聴音信号を、切り替え手段を介して出力する可聴音用スピーカーと、超音波発信手段により生成する超音波の搬送波信号と、切り替え手段を介して出力された可聴音信号とを搬送波変調手段により変調して変調搬送波信号を生成し、その変調搬送波信号を出力する超音波スピーカーとを備え、前述した切り替え手段からの出力先を、可聴音用スピーカーと、搬送波変調手段とに切り替えることにより、出力される音声の指向性の角度を変更できるようにしたことを特徴とするものである。
【００１４】
また、本発明のスピーカー装置は、前述した可聴音スピーカーと超音波スピーカーが、振動板と、その振動板に配設されて、共振点が可超音帯域と超音波帯域の両方にあるように構成された圧電素子を有する１つのスピーカーにより構成されており、しかも、超音波発信手段が、周波数選択手段により前記超音波帯域に存在する共振点が選択されて、その共振点における前記搬送波信号を生成することを特徴とするものである。
【発明の効果】
【００１５】
本発明のスピーカー装置を採用すれば、発信される音声の指向性の角度を可変にすることができるため、必要に応じて、使用者が機器使用者の周りに音声を聞かせたくない場合や、機器使用者以外にも音声を聞かせたい場合の双方に利用できるようになる。
【発明を実施するための最良の形態】
【００１６】
以下、図面を用いて本発明の実施形態におけるスピーカー装置とその作用について説明する。
【実施例１】
【００１７】
まず、図１を用いて本発明のスピーカー装置の構成について説明をする。
図１は、本発明のスピーカー装置の構成例を示す概略図である。
【００１８】
本図面に示す本発明のスピーカー装置は、可聴音域用スピーカー１５と超音波スピーカー１４とを有し、可聴音域用スピーカー１５から音声を出力する場合は、再生信号発生手段１０により再生したい可聴音の音源として可聴音信号を再生し、切り替え手段１１により可聴音域用スピーカー１５を選択して可聴音信号をそのまま出力する。
【００１９】
また、超音波スピーカー１４から音声を出力する場合は、超音波発振手段１２にて超音波の搬送波信号を発生させるとともに、再生信号発生手段１０により生成される可聴音信号を切り替え手段１１にて搬送波変調手段１３に入力する。そして、この搬送波変調手段１３では、可聴音信号を使って搬送波信号を周波数変調もしくは位相変調して、超音波スピーカー１４にて搬送波変調手段１３にて得られる変調搬送波信号の粗密周期に基づき振動板を振動させて、指向性を持った音声を放出できる様になっている。
【００２０】
なお、この超音波スピーカー１４からの出力が足りない場合は、搬送波変調手段１３と超音波スピーカー１４との間に、変調された搬送波信号を増幅させるアンプをさらに備えて、電気信号を増幅させた形態としても良い
【００２１】
同様に、切り替え手段１１と可聴音域用スピーカー１５の間にもアンプを備えて電気信
号を増幅させた形態でも良い。
【００２２】
この様に構成された本発明のスピーカー装置は、機器使用者が使用者のみで音声を聞きたい場合は、切り替え手段１１を制御して超音波スピーカー１４から音波を出力するように設定して、狭指向性の音場で使用する。また、周囲の人にも同時に音声を聞かせたい場合は、切り替え手段１１を制御して可聴音域用スピーカー１５から音波を出力するように設定し、広角の音場で使用すれば良い。
【００２３】
次に、本発明のスピーカー装置により音声の指向性の角度を可変にする方法について図２に基づいて説明する。
図２は、本発明のスピーカー装置を用いた際の、音場形成の作用を示すための概略図面である。なお、本図面では、スピーカー装置における可超音域用スピーカー１５と超音波スピーカー１４を重ね合せて配置した構成を示しており、その部分のみを示している。
【００２４】
一般に音波は、周波数が高くなると直進性が強くなり、かつ指向性が狭くなる特徴をもつ。したがって、図２に示すように、超音波スピーカー１４から出力される図１に示した搬送波変調手段１３で作成した超音波域の音波である変調搬送波信号は、狭指向性音場１６を形成することとなる。
【００２５】
これに対して、切り替え手段１１により搬送波変調手段１３を通さずに（図１参照）、直接可聴音信号を可聴音域用スピーカー１５へ伝達して出力すると、再生信号発生手段１０により再生された可聴音信号（可聴音域の音波）がそのまま出力される。この可聴音信号は、比較的低い周波数であるため、広い角度で音声が空気中を伝播し、広角音場１７を形成することとなる。
【００２６】
したがって、先に示した通り、使用者が機器使用者周辺へ音声を聞かせたくない場合は、切り替え手段１１を制御して、超音波スピーカー１４から音声を出力させて、狭指向性音場１６で使用することができるようになる。また、使用者以外の周囲の人にも同時に音声を聞かせたい場合は、可聴音域用スピーカー１５より音声を出力させ、広角音場１７を形成して使用することができるようになる。
【００２７】
次に、本発明のスピーカー装置における超音波スピーカー１４の動作原理について図３を用いて説明をする。
図３は、本発明を構成する超音波スピーカー１４に用いる具体的な信号処理方法について説明するための図面であり、図３図（ａ）は、再生信号発生手段１０（図１参照）にて生成する可聴音信号１８を示す図であり、本図（ｂ）は、超音波発振手段１２にて生成される搬送波信号１９を示す図であり、本図（ｃ）は、搬送波変調手段１３にて生成される変調搬送波信号２０を示す図である。
【００２８】
本発明のスピーカー装置における信号処理の方法は、まず図３（ａ）に示すように、可聴音音源（図１に示す再生信号発生手段１０）で生成される可聴音信号１８で、図３（ｂ）に示す超音波帯域の搬送波信号１９を、搬送波変調手段１３で行われる周波数変調法もしくは位相変調法により変調させて、図３（ｃ）に示すような変調搬送波信号２０を作成する。この変調搬送波信号２０は、一定周期の超音波の搬送波信号１９が可聴音信号１８の振幅に合わせて変調されており、波形の振幅は同一とし、部分的に周期が異なる波形となっている。
【００２９】
先に示した搬送波変調手段１３で採用する周波数変調法は、図３（ａ）における可聴音信号１８の交流信号の振幅に比例させて搬送波信号１９の角周波数を変化させて、搬送波を伸縮させた変調搬送波信号２０を作成する方法である。
【００３０】
また、本発明で用いている超音波帯域の搬送波信号１９は、少なくとも３０ｋＨｚ以上の周波数を用いるのが好ましい。一般的には、人間の耳に聞こえないと言われている１８から２０ｋＨｚ以上の周波数帯域を超音波としている。しかし、３０ｋＨｚ未満の搬送波信号１９では可聴音周波数に近すぎるため、前述した可聴音信号１８でこの搬送波信号１９を変調しても、搬送波の伸縮度合いが小さくなってしまう。そのため、この帯域では、実際に使用者が認識できる可聴音が再生され難いし、例えこれが再生されたとしても、非常に音圧の低い音になってしまい、使用者には殆ど聞こえない。また、変調搬送波信号２０の周波数の伸展時に２０ｋＨｚ以下になる場合もあり、この場合は変調搬送波信号２０が可聴域の音になるため、聞こえてしまう不具合がある。
【００３１】
さらに、前述した周波数変調を行う場合には、０．１から３０ｋＨｚの変調度で搬送波信号を周波数変調することが好ましい。それは、再生させる可聴音によって変調周波数を調節し、可聴音が歪みなくきれいに再生されるところに合わせる際に、３０ｋＨｚ以上の変調度になると再生される可聴音の歪みが大きく音が割れて聞こえるようになり、使用者が聞き取りにくくなってしまうからである。また、０．１ｋＨｚ以下になると変調が低すぎて可聴音が再生されなくなってしまうからである。
【００３２】
また、先に説明をした周波数変調に代えて行うことができる位相変調法は、可聴音信号１８の交流信号の振幅に比例して搬送波信号１９の位相を変化させ、搬送波を伸縮させた変調搬送波信号２０を作成する方法である。この周波数変調と位相変調の両者いずれの方法であっても、搬送波信号１９が伸縮部をもった波形の変調搬送波信号２０に変換させることができる。
【００３３】
この位相変調で用いる超音波帯域の搬送波信号１９においても、先に説明をした３０ｋＨｚ以上の周波数を用いるのが好ましい理由は、前述したと同じである。
【００３４】
また、前述した位相変調を行う場合には、０．１から２５ｒａｇの変調位相で搬送波を変調することが好ましい。それは、再生させる可聴音によって変調位相を調節し、可聴音は歪みなくきれいに再生されるように合わせる際に、２５ｒａｇ以上の変調では再生される可聴音の歪みが大きすぎて割れて聞こえ、きれいな音で再生できなくなるからである。また、０．１ｒａｇ以下では変調が低すぎて可聴音は再生されなくなってしまうからである。
【００３５】
次に、可聴音再生の原理について図４（ａ）、図４（ｂ）を用いて説明する。
図４（ａ）は、本発明を構成する超音波スピーカー１４から発信された変調搬送波信号２０の粗密周期の状態を示す説明図であり、本図（ｂ）は、その粗密周期が使用者の耳に聞こえるまでの原理を示す説明図である。
【００３６】
作成した変調搬送波信号２０（図３（ｃ）参照）が、図４（ａ）に示すように超音波スピーカー１４から大気中へ出力されると、超音波スピーカー１４の振動板の振動で空気の粗密状態を発生させ、図３（ｃ）に示す変調搬送波信号２０の波形に応じた空気圧を発生させることができる。その結果、図４（ａ）に示すように大気中に放出された変調搬送波信号２０は、超音波帯域の細かい振動からくる空気圧の高い部分２１と、振動の緩和された空気圧の低い部分２２を発生させる。
【００３７】
この波形が使用者の耳に到達すると、使用者は超音波帯域の空気の圧力振動を聞き取ることができないが、可聴音域の圧力振動のみを聞き取ることができる様になる。そのため、図４（ｂ）に示すように空気圧の高い部分２１と、低い部分２２の領域だけが認知されることとなり、使用者に音声として認識出来るようになる。これは、使用者の耳が一種の
ローパスフィルターの作用をするため、本発明のスピーカー装置の使用者は、超音波帯域の振動から可聴音域の振動を取り出すことができ、音声を聞き取ることができるのである。
【００３８】
ここで、指向性の音場を形成する原理について図５を用いて改めて説明する。
図５は、本発明のスピーカー装置における指向性原理を説明するための概略図である。
【００３９】
一般的に、ある平坦な板を可聴音域から超音波帯域まで徐々に振動周波数を高くしていくと、振動周波数が高くなるにつれて、振動している平坦な板の中心軸２３を中心とした領域に、音圧２４の高い高音圧領域２５が集中するようになってくることが知られている。
【００４０】
この現象は、本発明で用いる超音波スピーカー１４へも当てはまり、高音圧領域２５よりも外側では音圧が極端に低くなるため、超音波スピーカー１４から発信された音波は、長い距離を伝播することができなくなってしまう。そのため、超音波スピーカー１４から遠く離れると、高音圧領域２５内のみで音が伝播するようになり、結果として狭い指向性を持つようになる。
【００４１】
この様に、本発明で用いる超音波スピーカー１４から出力される変調搬送波信号２０は、超音波帯域の信号であるので、超音波スピーカー１４の前方で広角に広がらずに、ある狭い指向性をもってその超音波を伝播させることができる。
【００４２】
したがって、本発明のスピーカー装置の使用者は、狭指向性の音声を出力したい場合に、変調搬送波信号２０の伝播する狭い範囲内でのみ可聴音を聞くことができ、この範囲外では可聴音を聞くことはできないようにすることができる様になる。
【００４３】
また、先に図２で示した可聴音域用スピーカー１５から可聴音信号を出力する場合は、周波数が低いため広角に音波が伝播し、広い範囲で音声を聞くことができるという、従来公知の技術を適用すれば良いので、ここでの詳細な説明は割愛する。
【００４４】
ここで、本発明における超音波スピーカーと可聴音域用スピーカーの具体的な構成について説明をする。まず超音波スピーカーについて説明する。
図６は、本発明のスピーカー装置を具現化するための超音波スピーカーの一形態を示す図面である。
【００４５】
先に示した超音波スピーカー１４は、図６に示す様に、振動板２６を振動させて超音波を発信できる構成となっている。そして、このスピーカーにおける振動板２６には、振動発生源として圧電素子２７が貼り付けられた構成としてある。なお、振動板２６の表面に、放出する音圧を大きくするための共振子２８を貼り付けても構わない。
【００４６】
また、このスピーカーは、振動板２６を固定するベース２９に電極３０ａ、３０ｂが固定され、さらに電極３０ａ、３０ｂの先端部に絶縁性接着剤３１ａ、３１ｂを用いて圧電素子２７を貼り付けた構造となっている。またさらに、圧電素子２７は、電極３０ａ、３０ｂとリード線３２ａ、３２ｂで接続され、外部の電気回路からの信号で圧電素子２７を振動させることができる形態としている。
【００４７】
この様に、この超音波スピーカーを少なくとも１つ用いて、超音波域の変調搬送波信号を出力すれば良いが、再生される音声信号が小さい場合は、超音波スピーカーを複数個用いてアレイ状に並べた超音波スピーカーユニットとしてもよい。
【００４８】
次に、本発明のスピーカー装置に適用できる可聴音域用スピーカーの形態について説明をする。
本発明で用いる可聴音域用スピーカー１５は、ここでは特に図示しないが、通常可超音を再生するスピーカーとして用いられている、ボイスコイル型スピーカー、もしくは圧電スピーカーを用いれば良いので、ここでの詳細な説明は割愛する。
【００４９】
以上の説明のごとく、本発明によれば、広角の音場と狭指向性の音場を選択して形成することができる。したがって使用者の状況に応じて指向性の角度を可変としたスピーカー装置を提供することができる。
【００５０】
このような効果のある小型薄型のスピーカー装置を、携帯電話、携帯情報端末、携帯テレビ、もしくはパーソナルコンピューター等の電子機器へ搭載すれば、使用者のニーズに応じて広角、狭角の音場を任意に制御する電子機器とすることが出来る。
【実施例２】
【００５１】
次に、本発明のスピーカー装置に用いる他の形態について説明する。まず、本実施例におけるスピーカー装置における作用について説明をする。
図７は、そのスピーカーの振動源である圧電素子２７に与える周波数を変化させたときの音圧が増減する現象を示す図面である。
【００５２】
一般に圧電素子２７の共振点は、図７に示す矢印のように、低周波側から１次、２次、３次とある間隔で音圧が高くなる頂点を有する。本形態では、低周波側の１次共振点３３と、高周波側に現れる２次共振点３４とを使う場合について説明する。
【００５３】
ここで１次共振点３３は可聴音域に、２次共振点３４以降の高次の共振点は超音波域にある圧電素子２７を用いて超音波スピーカー１４を構成する。この様な形態とすることで、可聴音域と超音波域の２種の周波数帯域の音波を出力することができるようになる。したがって、本実施例の構成を適用すれば、実施例１で示した、超音波スピーカー１４と可聴音域用スピーカー１５の２つのスピーカーを用いる必要はなく、１つのスピーカーから出力される音声の指向性の角度を任意に変更できるようになる。
【００５４】
この場合の駆動方法を図８の概略図を用いて説明する。
図８は、本発明のスピーカー装置の構成を示す概略図である。
【００５５】
図８に示すように、本実施例におけるスピーカー装置は、音波の出力には可聴音域と超音波域の２種の音波を出力できるスピーカーとして両帯域用スピーカー３５を備え、この両帯域用スピーカーに切り替え手段１１と搬送波変調手段１３とが接続されている。また、先に示した超音波発信手段１２には、周波数選択手段３６が接続され、この周波数選択手段３６により、必要に応じて２次以降の共振点を選択する。この共振点の選択による効果については、後述する。
【００５６】
次に、本発明のスピーカー装置の動作について本図面を用いて説明をする。
広角の音場を形成する場合は、実施例１と同様に、切り替え手段１１によって再生したい可聴音信号を両帯域スピーカー３５に直接伝播させて再生信号発生手段１０で生成した可超音信号をそのまま出力する。このとき１次共振点が可聴音域にあるため、可聴音帯域は比較的音圧の高い帯域となる。そのため、本実施例における装置構成とすれば、可聴音信号をそのまま両帯域用スピーカー３５から出力させることができる。
【００５７】
また、より狭指向性で音場を形成したい場合は、超音波発信手段１２にて発生させる搬送波の周波数を超音波域の２次共振点（３次、４次共振点を用いるかは任意である。）を
周波数選択手段３６で選択して超音波発信手段１２にてその周波数の搬送波を生成し、搬送波変調手段１３にて可聴音信号を変調して作成した変調搬送波信号を、両帯域用スピーカー３５から出力する。この場合は、超音波域の音波であるため、狭指向性の音場を形成することができる。
【００５８】
また、狭指向性で音場を形成する際に、2次共振点と前述した３次、４次以降の共振点を周波数選択手段３６で任意に選択すれば、指向性を持った音声の到達距離を変えることができるという、実施例１にはない新たな効果を有するものとなる。
【００５９】
それは、一般に音波は周波数が高くなると空気中での減衰率が高くなっていき、到達距離が短くなっていく。そのため、前述した３次、４次以降のより高い周波数帯域の周波数を選択すれば、変調搬送波信号の到達距離を短くすることができることになるからである。
【００６０】
なお、本実施例における上記説明では、１次共振点を可聴音域に、２次共振点以降を超音波域に設けた圧電素子２７とした例を示したが、必ずしもこれに限定されるものではなく、少なくとも共振点が可聴音域にあれば良く、例えば１次と２次共振点が可聴音域に、３次共振点以降が超音波域にある圧電素子とし、広指向性の音声を再生する際には、１次または２次共振点を用い、狭指向性の音声を再生する際には３次共振点以降のいずれかの共振点を用いるようにしても構わない。
【００６１】
また、広指向性の音声を再生する際には、共振点近傍の周波数であれば音声のひずみが少なく、音圧は十分得ることができるため、必ずしも共振点における周波数を用いる必要はなく、他の周波数による再生としても構わない。
【００６２】
このように、本実施例におけるスピーカー装置において、圧電素子２７が持つ複数の共振点を利用すれば、広角の音場と狭指向性の音場を選択して形成することができ、使用者の状況に応じて音声を再生できるスピーカー装置を提供することができるという、実施例１の効果に加えて、１つのスピーカーから可聴音域と超音波域に渡る音声信号を出力することが可能になり、先に示した実施例１の構成例よりも更に装置サイズをより小型化することが可能になる。
【００６３】
また、上述したように超音波域における共振点を周波数選択手段３６により任意に選択すれば、指向性を持った音声の到達距離を変えることができるという、実施例１にはない新たな効果を奏するものとなる。
【図面の簡単な説明】
【００６４】
【図１】本発明のスピーカー装置の構成例を示す概略図である。
【図２】本発明のスピーカー装置における音場形成の状態を示す図である。
【図３】本発明のスピーカー装置における超音波スピーカーの駆動原理を説明するための図面である。
【図４】本発明のスピーカー装置における超音波スピーカーの作用を示す説明図である。
【図５】本発明のスピーカー装置における超音波スピーカーの指向性原理を説明するための概略図である。
【図６】本発明のスピーカー装置を具現化するための一形態を示す超音波スピーカーの構造断面図である。
【図７】本発明のスピーカー装置の他の構成例における作用を説明するための図である。
【図８】本発明のスピーカー装置の他の構成例を示す概略図である。
【図９】従来のスピーカー装置の構成を示す概略図である。
【符号の説明】
【００６５】
１０  再生信号発生手段
１１  切り替え手段
１２  超音波発振手段
１３  搬送波変調手段
１４  超音波スピーカー
１５  可聴音域用スピーカー
１６  狭指向性音場
１７  広角音場
１８  可聴音信号
１９  搬送波信号
２０  変調搬送波信号
２１  空気圧の高い部分
２２  空気圧の低い部分
２３  中心軸
２４  音圧
２５  高音圧領域
２６  振動板
２７  圧電素子
２８  共振子
２９  ベース
３０ａ、３０ｂ  電極
３１ａ、３１ｂ  絶縁性接着剤
３２ａ、３２ｂ  リード線
３３  １次共振点
３４  ２次共振点
３５  両帯域用スピーカー
３６  周波数選択手段
【図１】
2007067514.tif 000003
【図２】
2007067514.tif 000004
【図３】
2007067514.tif 000005
【図４】
2007067514.tif 000006
【図５】
2007067514.tif 000007
【図６】
2007067514.tif 000008
【図７】
2007067514.tif 000009
【図８】
2007067514.tif 000010
【図９】
2007067514.tif 000011